(57)【要約】    【課題】周囲環境やダイポールアンテナを使用してワイヤレス通信を行う機器内部の部品・基板等の影響を受けずに、安価な構造で安定かつ確実なワイヤレス通信を可能とするとともに小型化を可能とする。    【解決手段】基板２ｃ、３ｃ上に形成されたダイポールアンテナ２００、３００の表面２００ａ、３００ａには、一対の導体エレメント２１０、２１０、３１０、３１０を左右対称に配設し、この表面には、一対の導体エレメントに対応した位置にスタブパターン２１１、２１１、３１１、３１１を配設する。また、ダイポールアンテナの裏面２００ｂ、３００ｂには、一対の導体エレメントと結合して容量性又は誘導性の負荷を有するランドパターン２１２、３１２が当該一対の導体エレメントの何れか一方又は双方に対応する位置に配設し、この裏面には、磁性体シート２１３、３１３を貼り付ける。  【選択図】図３
2009135679.tif 000002
【特許請求の範囲】
【請求項１】
基板（２ｃ、３ｃ）上に形成されたダイポールアンテナ（２００、３００）を備え、前記ダイポールアンテナの表面（２００ａ、３００ａ）には、一対の導体エレメント（２１０、２１０、３１０、３１０）が左右対称に配設され、
前記ダイポールアンテナの裏面（２００ｂ、３００ｂ）には、前記一対の導体エレメントと結合して容量性又は誘導性の負荷を有するランドパターン（２１２、３１２）が当該一対の導体エレメントの何れか一方又は双方に対応する位置に配設されることを特徴とするダイポールアンテナ装置。
【請求項２】
前記ダイポールアンテナの前記裏面には、磁性体シート（２１３、３１３）が貼り付けられることを特徴とする請求項１記載のダイポールアンテナ装置。
【請求項３】
前記ダイポールアンテナの前記表面には、前記一対の導体エレメントに対応した位置にスタブパターン（２１１、２１１、３１１、３１１）が配設されることを特徴とする請求項１記載のダイポールアンテナ装置。
【請求項４】
子機（１）と、前記子機からの呼び出しに応答して通話を成立させるための主親機（２）と、前記主親機との間で無線通信を行い呼び出し、通話を成立させるとともに、前記子機から前記主親機を経由した前記呼び出しに応答して前記通話を成立させるための少なくとも１台の副親機（３ａ、３ｂ、・・・）とを設け、
前記主親機及び前記副親機はそれぞれ、基板（２ｃ、３ｃ）上に形成され前記無線通信を行うためのダイポールアンテナ（２００、３００）を有し、
前記ダイポールアンテナの表面（２００ａ、３００ａ）には、一対の導体エレメント（２１０、２１０、３１０、３１０）が左右対称に配設され、
前記ダイポールアンテナの裏面（２００ｂ、３００ｂ）には、前記一対の導体エレメントと結合して容量性又は誘導性の負荷を有するランドパターン（２１２、３１２）が当該一対の導体エレメントの何れか一方又は双方に対応する位置に配設されることを特徴とするワイヤレスインターホンシステム。
【請求項５】
前記ダイポールアンテナの前記裏面には、磁性体シート（２１３、３１３）が貼付されることを特徴とする請求項４記載のワイヤレスインターホンシステム。
【請求項６】
前記ダイポールアンテナの前記表面には、前記一対の導体エレメントに対応した位置にスタブパターン（２１１、２１１、３１１、３１１）が配設されることを特徴とする請求項４記載のワイヤレスインターホンシステム。
【請求項７】
前記ワイヤレスインターホンシステムは、取付金具（Ａ、Ｂ）により壁面等の取付面に取り付けられ、
前記ダイポールアンテナの前記一対の導体エレメントから放射された電波は、前記取付金具で反射されることを特徴とする請求項４記載のワイヤレスインターホンシステム。
【発明の詳細な説明】
【技術分野】
【０００１】
本発明は、携帯型の移動体通信端末や住戸等においてワイヤレスで呼び出し、通話等を行う機器に用いられるダイポールアンテナ装置及びこれを使用するワイヤレスインターホンシステムに関する。
【背景技術】
【０００２】
携帯型の移動体通信端末に用いられる小型のアンテナとしては、従来から種々の構造の当該アンテナが提案されており、その一例として、電波の放射部を構成する導体エレメントが１つで１／４波長のチップアンテナがある。このチップアンテナは、その機能により、配設位置や基板の大きさによって特性が変化するため、基板のレイアウトが困難であった。これに対し、１／４波長の導体エレメントが左右対称に配設される基板のレイアウトが容易なダイポールアンテナが提案されている。
【０００３】
また、ダイポールアンテナとしては、バラン（平衡／不平衡変換器）が配設された構造の当該ダイポールアンテナが開示されている。このダイポールアンテナによれば、同軸導体からなるバランが配設されているが、当該バランをプリント化することもできる（例えば、特許文献１を参照。）。
【０００４】
【特許文献１】特開平６−１８８６１０号公報
【発明の開示】
【発明が解決しようとする課題】
【０００５】
しかしながら、ダイポールアンテナは、一般にチップアンテナと比較してそのサイズが大きいため、住戸等においてワイヤレスで呼び出し、通話等を行う機器に備えるにあたっては、当該アンテナの配設スペースを十分に確保できず、無理にダイポールアンテナを機器内に備えようとすると、周囲環境や呼び出し、通話等のインターホン機能のための回路が実装される基板（電子基板）の影響によりダイポールアンテナが平衡に動作せず、左右対称に配設される放射部のうち一方のみで電波が放射されることがあった。この難点を解消にあたっては、特許文献１に記載のバランが必要とされるものの、コストが増大となる難点があった。
【０００６】
本発明は、これらの難点を解消するためになされたもので、周囲環境やダイポールアンテナを使用して無線通信を行う機器内部の部品・基板等の影響を受けずに、安価な構造で安定かつ確実な無線通信を可能とするとともに小型化が可能なダイポールアンテナ装置及びこれを使用するワイヤレスインターホンシステムを提供することを目的としている。
【課題を解決するための手段】
【０００７】
前述の目的を達成するため、本発明の第１の態様であるダイポールアンテナ装置は、基板上に形成されたダイポールアンテナを備え、ダイポールアンテナの表面には、一対の導体エレメントが左右対称に配設され、ダイポールアンテナの裏面には、一対の導体エレメントと結合して容量性又は誘導性の負荷を有するランドパターンが当該一対の導体エレメントの何れか一方又は双方に対応する位置に配設されるものである。
【０００８】
このダイポールアンテナ装置によれば、ダイポールアンテナが形成される基板へ電源供給するために必要とされる同軸ケーブルからの不平衡状態の電源供給を平衡させるバランが不要となり、周囲環境やダイポールアンテナを使用して無線通信を行う機器内部の部品・基板等の影響を受けずに安定かつ確実な平衡励振を行うことができる。
【０００９】
また、本発明の第２の態様であるダイポールアンテナ装置は、本発明の第１の態様において、ダイポールアンテナの裏面には、磁性体シートが貼り付けられるものである。
【００１０】
このダイポールアンテナ装置によれば、ダイポールアンテナが形成される基板とは異なる周囲近傍の他の基板からの電波の干渉を回避することができ、周囲近傍における電波（電磁波）の強度が均一となる。
【００１１】
また、本発明の第３の態様であるダイポールアンテナ装置は、本発明の第１の態様において、ダイポールアンテナの表面には、一対の導体エレメントに対応した位置にスタブパターンが配設されるものである。
【００１２】
このダイポールアンテナ装置によれば、ダイポールアンテナが形成される単一の基板の使用で、当該ダイポールアンテナにて送受信される無線信号について複数の周波数帯に対応することができる。
【００１３】
また、本発明の第４の態様であるダイポールアンテナ装置を使用するワイヤレスインターホンシステムは、子機と、子機からの呼び出しに応答して通話を成立させるための主親機と、主親機との間で無線通信を行い呼び出し、通話を成立させるとともに、子機から主親機を経由した呼び出しに応答して通話を成立させるための少なくとも１台の副親機とを設けたものである。主親機及び副親機はそれぞれ、基板上に形成され無線通信を行うためのダイポールアンテナを有している。ダイポールアンテナの表面には、一対の導体エレメントが左右対称に配設され、ダイポールアンテナの裏面には、一対の導体エレメントと結合して容量性又は誘導性の負荷を有するランドパターンが当該一対の導体エレメントの何れか一方又は双方に対応する位置に配設されるものである。
【００１４】
このワイヤレスインターホンシステムによれば、子機からの呼び出しに応答して通話を行い、自機器間で呼び出し、通話が可能な主親機及び副親機において、ダイポールアンテナが形成される基板へ電源供給するために必要とされる同軸ケーブルからの不平衡状態の電源供給を平衡させるバランが不要となり、周囲環境やダイポールアンテナを使用して無線通信を行う機器内部の部品・基板等の影響を受けずに安定かつ確実な平衡励振を行うことができる。
【００１５】
また、本発明の第５の態様であるダイポールアンテナ装置を使用するワイヤレスインターホンシステムは、本発明の第４の態様において、ダイポールアンテナの裏面には、磁性体シートが貼り付けられるものである。
【００１６】
このワイヤレスインターホンシステムによれば、子機からの呼び出しに応答して通話を行い、自機器間で呼び出し、通話が可能な主親機及び副親機において、ダイポールアンテナが形成される基板とは異なる周囲近傍の他の基板からの電波の干渉を回避することができ、周囲近傍における電波（電磁波）の強度が均一となる。
【００１７】
また、本発明の第６の態様であるダイポールアンテナ装置を使用するワイヤレスインターホンシステムは、本発明の第４の態様において、ダイポールアンテナの表面には、一対の導体エレメントに対応した位置にスタブパターンが配設されるものである。
【００１８】
このワイヤレスインターホンシステムによれば、子機からの呼び出しに応答して通話を行い、自機器間で呼び出し、通話が可能な主親機及び副親機において、ダイポールアンテナが形成される単一の基板の使用で、当該アンテナにて送受信される無線信号について複数の周波数帯に対応することができる。
【００１９】
また、本発明の第７の態様であるダイポールアンテナ装置を使用するワイヤレスインターホンシステムは、本発明の第４の態様において、当該ワイヤレスインターホンシステムは、取付金具により壁面等の取付面に取り付けられるものであり、ダイポールアンテナの一対の導体エレメントから放射された電波は、取付金具で反射されるものである。
【００２０】
このワイヤレスインターホンシステムによれば、子機からの呼び出しに応答して通話を行い、自機器間で呼び出し、通話が可能な主親機及び副親機において、当該主親機及び当該副親機の背面側に放射される電波の放射量を減少させる一方、当該主親機及び当該副親機の前面（正面）側への放射量を増大させることができ、安定かつ確実な無線通信が可能となる。
【発明の効果】
【００２１】
本発明のダイポールアンテナ装置及びこれを使用するワイヤレスインターホンシステムによれば、周囲環境やダイポールアンテナを使用して無線通信を行う機器内部の部品・基板等の影響を受けずに、安価な構造で安定かつ確実な無線通信が可能となるばかりでなく、バランが不要となりダイポールアンテナを小型化させることができる。
【発明を実施するための最良の形態】
【００２２】
以下、本発明のダイポールアンテナ装置及びこれを使用するワイヤレスインターホンシステムを適用した最良の実施の形態例について、図面を参照して説明する。
【００２３】
図１は、本発明の実施例によるダイポールアンテナ装置を使用するワイヤレスインターホンシステムの具体的な構成を示すブロック図である。同図に示すワイヤレスインターホンシステムには、住戸外の例えば、住戸玄関に設置される子機１と、住戸内に設置され、伝送線Ｌを経由して接続（有線接続）される子機１からの呼び出し（以下、親機呼び出しという。）に応答して通話（以下、子機間通話という。）を成立させるための主親機２と、主親機２と同様に住戸内に設置され、主親機２との間で無線通信を行い呼び出し（以下、内線呼び出しという。）、通話（以下、内線通話という。）を成立させるとともに、子機１から伝送線Ｌ、主親機２を経由した親機呼び出しに応答して子機間通話を成立させるための少なくとも１台の副親機３、３、・・・とが設けられている。
【００２４】
子機１には、子機操作部１０、映像撮像部１１、子機通話部１２、子機電源部１３及び子機（有線用）インターフェース（以下、子機Ｉ／Ｆという。）１４が備えられている。ここで、子機操作部１０は、住戸玄関に居る来訪者が所定の呼出操作を行うためのものであり、例えば、呼出ボタンにて構成されている。
【００２５】
また、映像撮像部１１は、来訪者や住戸玄関の周囲近傍の映像（監視映像を含む。）を撮像するためのものであり、例えば、ＣＣＤ、ＣＭＯＳ等の各種の撮像媒体にて構成されている。
【００２６】
また、子機通話部１２は、来訪者が親機呼び出しした住戸内に在室中の居住者との間で通話を成立させるための音声（送話音声、受話音声）を入出力するものであり、例えば、マイク及びスピーカにて構成されている。
【００２７】
また、子機電源部１３は、主親機２の後述する主親機電源部２３から供給されてくる子機電源（直流電源）を受電し、当該子機の構成各部に待受電源又は動作電源として供給するためのものである。
【００２８】
さらに、子機Ｉ／Ｆ１４は、子機操作部１０から伝送線Ｌへの（有線による）信号伝送ライン、映像撮像部１１から伝送線Ｌへの（有線による）信号伝送ライン、子機通話部１２及び伝送線Ｌの間の（有線による）信号伝送ライン（通話ライン）、伝送線Ｌから子機電源部１３への電源供給ラインをそれぞれ形成するためのものである。
【００２９】
主親機２には、主親機表示部２０、主親機通話部２１、主親機操作部２２、主親機電源部２３、主親機制御部２４、主親機有線用インターフェース（以下、主親機有線用Ｉ／Ｆという。）２５、主親機無線用インターフェース（以下、主親機無線用Ｉ／Ｆという。）２６及び主親機アンテナ部２７が備えられており、この主親機２は、図２の概略外観図に示すように、その設置の一例として、当該主親機の背面側が取付金具Ａにより住戸内の壁面等の取付面Ｗに取り付けられるものである。ここで、主親機表示部２０、主親機通話部２１、主親機操作部２２、主親機電源部２３、主親機制御部２４及び主親機有線用Ｉ／Ｆ２５はそれぞれ、同一の基板（以下、主機能実装基板という。）２ａ上に配設されている。また、主親機無線用Ｉ／Ｆ２６は、主機能実装基板２ａとは異なる別途の基板（以下、無線機能実装基板という。）２ｂ上に配設されている。また、主親機アンテナ部２７は、無線機能実装基板２ｂへ同軸ケーブル２ｄを経由して接続（有線接続）される基板（以下、アンテナ実装基板という。）２ｃ上に配設されている。さらに、主機能実装基板２ａ及び無線機能実装基板２ｂの間は、通常、電気配線されている。なお、主親機有線用Ｉ／Ｆ２５は、主機能実装基板２ａとは異なる別途の基盤上に配設することもできる。
【００３０】
この主親機２において、主親機表示部２０は、来訪者からの親機呼び出しがあること、副親機３、３、・・・を使用する別途の居住者からの内線呼び出しがあることをそれぞれ呼出表示するとともに、子機１の映像撮像部１１にて撮像された映像を出画し、さらには主親機操作部２２の操作情報等を表示するためのものであり、例えば、ＬＣＤ、ＰＤＰ、有機ＥＬディスプレイ等の各種の表示媒体にて構成されている。
【００３１】
また、主親機通話部２１は、来訪者からの親機呼び出しがあること、副親機３、３、・・・を使用する別途の居住者からの内線呼び出しがあることをそれぞれ呼出発報するとともに、当該主親機を使用する居住者が来訪者との間で子機間通話を成立させる、或いは、内線呼出元又は内線呼出先である副親機３、３、・・・を使用する別途の居住者との間で内線通話を成立させるための音声（送話音声、受話音声）を入出力するものであり、例えば、マイク及びスピーカ、ハンドセットにて構成されている。
【００３２】
また、主親機操作部２２は、当該主親機を使用する居住者が来訪者からの親機呼び出し又は副親機３、３、・・・を使用する別途の居住者からの内線呼び出しに応答するための所定の応答操作、当該主親機を使用する居住者が副親機３、３、・・・を使用する別途の居住者を内線呼び出しするための所定の呼出操作、当該主親機を使用する居住者が成立中の子機間通話又は内線通話を終了させるための所定の終話操作等が行われるものであり、例えば、通話ボタンや呼出（内線呼出）ボタンにて構成され、これらのボタンは、主親機表示部２０の前面にタッチパネルとして設けることもできる。
【００３３】
また、主親機電源部２３は、商用電源、例えば、ＡＣ１００Ｖを整流・平滑して直流電源を生成し、当該主親機の構成各部に待受電源又は動作電源として供給するとともに、子機電源として子機１に供給するためのものであり、主親機制御部２４は、当該主親機の構成各部を制御するためのものである。
【００３４】
また、主親機有線用Ｉ／Ｆ２５は、主親機通話部２１及び伝送線Ｌの間の（有線による）信号伝送ライン（通話ライン）、主親機電源部２３から伝送線Ｌへの電源供給ライン、主親機制御部２４及び伝送線Ｌの間の（有線による）信号伝送ラインをそれぞれ形成するためのものである。
【００３５】
また、主親機無線用Ｉ／Ｆ２６は、主親機制御部２４及び同軸ケーブル２ｃを経由して主親機アンテナ部２７の間の信号伝送ラインを経由し、主親機アンテナ部２７にて送受信される各種信号の信号処理、例えば、電気信号から無線信号への変換、無線信号から電気信号への変換等を行うためのものである。
【００３６】
さらに、主親機アンテナ部２７は、その構成の一例として図３（ａ）、（ｂ）の各外観図に示すように、アンテナ実装基板２ｃ上に形成された約１／２波長の長さのダイポールアンテナ２００を備えている。ここで、電気的な中心点で分割されるダイポールアンテナ２００の表面２００ａには、１／４波長の一対の導体エレメント２１０、２１０が左右対称に配設されており、この表面２００ａには、一対の導体エレメント２１０、２１０に対応した位置にインピーダンス整合のためのスタブパターン２１１、２１１を配設することができる。一方、ダイポールアンテナ２００の裏面２００ｂには、一対の導体エレメント２１０、２１０と結合して容量性又は誘導性の負荷を有する例えば、銅箔のランドパターン２１２が当該一対の導体エレメントの何れか一方又は双方に対応する位置、ここでは、何れか一方に配設されており、この裏面２００ｂには、例えば、鉄、ニッケル、コバルト等の強磁性体が主成分とされる磁性体シート２１３を貼り付けることができる。
【００３７】
副親機３、３、・・・はそれぞれ同様な構成で、副親機表示部３０、副親機通話部３１、副親機操作部３２、副親機電源部３３、副親機制御部３４、副親機（無線用）インターフェース（以下、副親機Ｉ／Ｆという。）３５及び副親機アンテナ部３６が備えられており、この副親機３、３、・・・はそれぞれ、図２の概略外観図に示すように、その設置の一例として、当該副親機の背面側が取付金具Ｂにより住戸内の壁面等の取付面Ｗに取り付けられるものである。ここで、副親機表示部３０、副親機通話部３１、副親機操作部３２、副親機電源部３３及び副親機制御部３４はそれぞれ、同一の主機能実装基板３ａ上に配設されている。また、副親機Ｉ／Ｆ３５は、主機能実装基板３ａとは異なる別途の無線機能実装基板３ｂ上に配設されている。また、副親機アンテナ部３６は、無線機能実装基板３ｂへ同軸ケーブル３ｄを経由して接続（有線接続）されるアンテナ実装基板３ｃ上に配設されている。さらに、主機能実装基板３ａ及び無線機能実装基板３ｂの間は、通常、電気配線されている。
【００３８】
この副親機３、３、・・・において、副親機表示部３０は、来訪者からの親機呼び出しがあること、主親機２を使用する別途の居住者からの内線呼び出しがあることをそれぞれ呼出表示するとともに、子機１の映像撮像部１１にて撮像された映像を出画し、さらには副親機操作部３２の操作情報等を表示するためのものであり、例えば、ＬＣＤ、ＰＤＰ、有機ＥＬディスプレイ等の各種の表示媒体にて構成されている。
【００３９】
また、副親機通話部３１は、来訪者からの親機呼び出しがあること、主親機２を使用する別途の居住者からの内線呼び出しがあることをそれぞれ呼出発報するとともに、当該副親機を使用する居住者が来訪者との間で子機間通話を成立させる、或いは、内線呼出元又は内線呼出先である主親機２を使用する別途の居住者との間で内線通話を成立させるための音声（送話音声、受話音声）を入出力するものであり、例えば、マイク及びスピーカ、ハンドセットにて構成されている。
【００４０】
また、副親機操作部３２は、当該副親機を使用する居住者が来訪者からの親機呼び出し又は主親機２を使用する別途の居住者からの内線呼び出しに応答するための所定の応答操作、当該副親機を使用する居住者が主親機２を使用する別途の居住者を内線呼び出しするための所定の呼出操作、当該副親機を使用する居住者が成立中の子機間通話又は内線通話を終了させるための所定の終話操作等が行われるものであり、例えば、通話ボタンや呼出（内線呼出）ボタンにて構成され、これらのボタンは、副親機表示部３０の前面にタッチパネルとして設けることもできる。
【００４１】
また、副親機電源部３３は、商用電源、例えば、ＡＣ１００Ｖを整流・平滑して直流電源を生成し、当該副親機の構成各部に待受電源又は動作電源として供給するためのものであり、副親機制御部３４は、当該副親機の構成各部を制御するためのものである。なお、副親機電源部３３としては、二次電池等の各種の蓄電池を適用することもできる。
【００４２】
また、副親機Ｉ／Ｆ３５は、副親機制御部３４及び同軸ケーブル３ｃを経由して副親機アンテナ部３６の間の信号伝送ラインを経由し、副親機アンテナ部３６にて送受信される各種信号の信号処理、例えば、電気信号から無線信号への変換、無線信号から電気信号への変換等を行うためのものである。
【００４３】
さらに、副親機アンテナ部３７は、その構造の一例として図３（ａ）、（ｂ）の各外観図に示すように、アンテナ実装基板３ｃ上に形成された約１／２波長の長さのダイポールアンテナ３００を備えている。ここで、電気的な中心点で分割されるダイポールアンテナ３００の表面３００ａには、一対の導体エレメント３１０、３１０が左右対称に配設されており、この表面３００ａには、一対の導体エレメント３１０、３１０に対応した位置にインピーダンス整合のためのスタブパターン３１１、３１１を配設することができる。一方、ダイポールアンテナ３００の裏面３００ｂには、一対の導体エレメント３１０、３１０と結合して容量性又は誘導性の負荷を有する例えば、銅箔のランドパターン３１２が当該一対の導体エレメントの何れか一方又は双方に対応する位置、ここでは、何れか一方に配設されており、この裏面３００ｂには、例えば、鉄、ニッケル、コバルト等の強磁性体が主成分とされる磁性体シート３１３を貼り付けることができる。
【００４４】
このように構成された本発明の実施例による（ダイポールアンテナ装置を使用する）ワイヤレスインターホンシステムにおいて、以下、具体的な動作について説明する。
【００４５】
住戸玄関に居る来訪者が住戸内に在室中の居住者を親機呼び出して子機間通話を成立させるにあたり、図１に示す子機１の子機操作部１０にて所定の呼出操作を行うと、この子機操作部１０から子機Ｉ／Ｆ１４、伝送線Ｌ、主親機２の主親機有線用Ｉ／Ｆ２５を経由して主親機制御部２４に子機呼出信号が伝送される。
【００４６】
主親機２の主親機制御部２４は、子機１からの子機呼出信号を受信すると、来訪者による親機呼び出しがあることを検出し、主親機電源部２３を制御して当該主親機の構成各部への電源供給を待受電源から動作電源に切り替えるとともに、子機１への電源供給として待受電源から切り替えた動作電源としての子機電源を生成させる。この子機電源は、主親機電源部２３から主親機有線用Ｉ／Ｆ２５、伝送線Ｌ、子機１の子機Ｉ／Ｆ１４、子機電源部１３を経由して当該子機の構成各部に供給される。また、子機電源部１３からの動作電源の供給により能動となる映像撮像部１１は、来訪者や住戸玄関の映像の撮像を開始する。この映像撮像部１１にて撮像であり電気信号に信号処理された映像信号は、子機Ｉ／Ｆ１４、伝送線Ｌ、主親機２の主親機有線用Ｉ／Ｆ２５を経由して主親機制御部２４に伝送される。
【００４７】
また、主親機２の主親機制御部２４は、子機１からの子機呼出信号を受信すると、来訪者による親機呼び出しがある旨の呼出メッセージや絵データ等を主親機表示部２０に表示させるとともに、同様な旨の呼出音や音声メッセージ等を主親機通話部２１から出力させて呼出報知を行い、さらには同様に受信した映像信号をもとに子機１の映像撮像部１１にて撮像された映像を主親機表示部２０に出画させることができる。
【００４８】
さらに、主親機２の主親機制御部２４は、子機１からの受信した子機呼出信号及び映像信号を、主親機無線用Ｉ／Ｆ２６を経由して無線信号に信号処理した後、同軸ケーブル２ｄを経由して主親機アンテナ部２７に送出し、アンテナ実装基板２ｃ上の図３（ａ）に示すダイポールアンテナ２００の表面２００ａに左右対称に配設された一対の導体エレメント２１０、２１０から放射させる。ここで、一対の導体エレメント２１０、２１０から放射された無線信号の電波は、図２に示す取付金具Ａで反射されるため、住戸内の壁面等の取付面Ｗ方向である当該主親機の背面側への放射量が減少する一方、当該主親機の前面（正面）側への放射量を増大させることができ、この電波は、副親機３、３、・・・の副親機アンテナ部３６を構成するアンテナ実装基板３ｃ上のダイポールアンテナ３００の表面３００ａに左右対称に配設された一対の導体エレメント３１０、３１０にて安定かつ確実に受信される。
【００４９】
ここで、主親機２の主親機アンテナ部２７及び副親機３、３、・・・の副親機アンテナ部３６はそれぞれ、図３（ａ）、（ｂ）に示す構造であり、アンテナ実装基板２ｃ、３ｃ上に形成されたダイポールアンテナ２００、３００の裏面２００ｂ、３００ｂには、表面２００ａ、３００ａに左右対称で配設された一対の導体エレメント２１０、２１０、３１０、３１０の何れか一方又は双方に対応する位置、ここでは、何れか一方に対応する位置にランドパターン２１２、３１２が配設されているため、同軸ケーブル２ｃ、３ｃからの不平衡状態の電源供給を平衡させるためのバランを必要とせず、周囲環境や他の電子部品の影響を受けずに安定かつ確実に平衡励振を行うことができる。また、ダイポールアンテナ２００、３００の表面２００ａ、３００ａには、一対の導体エレメント２１０、２１０、３１０、３１０に対応した位置にスタブパターン２１１、２１１、３１１、３１１が配設されているため、単一のアンテナ実装基板２ｃ、３ｃの使用で、当該アンテナにて送受信される無線信号について複数の周波数帯に対応することができる。また、ダイポールアンテナ２００、３００の裏面２００ｂ、３００ｂには、磁性体シート２１３、３１３が貼り付けられているため、自機器内の他の基板である例えば、主機能実装基板２ａ、３ａや無線機能実装基板２ｂ、３ｂにそれぞれ実装される各種回路や電子素子からの電波の干渉を回避することができ、周囲近傍における電波（電磁波）の強度が均一となる。
【００５０】
副親機３、３、・・・において、副親機アンテナ部３６を構成するアンテナ実装基板３ｃ上のダイポールアンテナ３００の表面３００ａに左右対称に配設された一対の導体エレメント３１０、３１０にて受信された無線信号は、同軸ケーブル３ｄを経由して副親機Ｉ／Ｆ３５に伝送され、電気信号である子機呼出信号及び映像信号に信号処理された後、副親機制御部３４に送出される。
【００５１】
副親機３、３、・・・の副親機制御部３４は、子機１から親機２を経由して伝送されてきた子機呼出信号を受信すると、来訪者による親機呼び出しがあることを検出し、副親機電源部３３を制御して当該副親機の構成各部への電源供給を待受電源から動作電源に切り替えるとともに、来訪者による親機呼び出しがある旨の呼出メッセージや絵データ等を副親機表示部３０に表示させ、同様な旨の呼出音や音声メッセージ等を副親機通話部３１から出力させて呼出報知を行い、さらには同様に受信した映像信号をもとに子機１の映像撮像部１１にて撮像された映像を副親機表示部３０に出画させることができる。
【００５２】
次に、前述の主親機２及び副親機３、３、・・・における呼出報知を、映像の出画と併せて確認した居住者のうち、何れか１の機器にて最先に応答操作を行う当該居住者は、来訪者の映像を確認しながらの通話を成立させることができる。具体的には、主親機２を使用する居住者が主親機操作部２０にて所定の応答操作を行うと、この操作を検出した主親機制御部２４の制御により、居住者が使用する主親機通話部２１と主親機有線用Ｉ／Ｆ２５、伝送線Ｌ、子機１の子機Ｉ／Ｆ１４を経由して来訪者が使用する子機通話部１２との間の信号伝送ライン、すなわち、通話ラインが形成され、形成された通話ラインを経由して音声信号を送受信させることにより子機間通話が成立する。
【００５３】
一方、最先に応答操作を行う当該居住者として、副親機３、３、・・・を使用する居住者が特定の当該副親機の副親機操作部３０にて所定の応答操作を行うと、この操作を検出した副親機制御部３４の制御（及び主親機２の主親機制御部２４の制御）により、居住者が使用する副親機通話部２１と副親機Ｉ／Ｆ３５、副親機アンテナ部３６、主親機２の主親機アンテナ部２７、主親機無線用Ｉ／Ｆ２６、主親機制御部２４、主親機有線用Ｉ／Ｆ２５、伝送線Ｌ、子機１の子機Ｉ／Ｆ１４を経由して来訪者が使用する子機通話部１２との間の信号伝送ライン、すなわち、通話ラインが形成され、形成された通話ラインを経由して音声信号を送受信させることにより子機間通話が成立する。この通話ラインが形成されているとき、呼出応答した特定の当該副親機の副親機アンテナ部３６から送信される（音声信号である）無線信号の電波は、図２に示す取付金具Ｂで反射されるため、住戸内の壁面等の取付面Ｗ方向である当該副親機の背面側への放射量が減少する一方、当該副親機の前面（正面）側への放射量を増大させることができ、安定かつ確実な無線通信が可能となる。
【００５４】
なお、前述までの説明によれば、本発明の実施例による（ダイポールアンテナ装置を使用する）ワイヤレスインターホンシステムにおいて呼び出し、通話の動作を成立させるにあたり、住戸玄関に居る来訪者が住戸内に在室中の居住者を親機呼び出しして子機間通話を成立させる子機呼出時の動作について説明したが、この動作に限定されるものではない。例えば、住戸内に在室中の特定の居住者が他の居住者を内線呼び出しして内線通話を成立させる内線呼出時の場合においても、内線呼出元又は内線呼出先である主親機２の主親機アンテナ部２７と副親機３、３、・・・のうち内線呼出元又は内線呼出先である特定の当該副親機の副親機アンテナ部３６との間で呼出信号、通話信号等の無線信号を送受信させるにあたり、当該主親機及び当該副親機の背面側に放射される電波の放射量を減少させることができる一方、当該主親機及び当該副親機の前面（正面）側へ放射される電波の放射量を増大させることができ、安定かつ確実な無線通信が可能となる。
【００５５】
また、本発明の実施例による（ダイポールアンテナ装置を使用する）ワイヤレスインターホンシステムにおいては、来訪者や住戸玄関の映像（監視映像を含む。）を撮像するための映像撮像部１１を有する子機１を適用したが、この態様に限定されるものではない。例えば、映像撮像部１１が不備とされ来訪者による子機呼出機能、子機通話機能のみを備えた当該子機を適用することもできる。
【００５６】
前述までの説明から明らかなように、本発明の実施例による（ダイポールアンテナ装置を使用する）ワイヤレスインターホンシステムによれば、周囲環境やダイポールアンテナを使用して無線通信を行う主親機２及び副親機３、３、・・・の各機器内部の部品・基板（２ａ、２ｂ、３ａ、３ｂ）等の影響を受けずに、安価な構造で安定かつ確実な無線通信を可能となるばかりでなく、バランが不要となりダイポールアンテナ２００、３００を小型化させることができる。
【００５７】
最後に、本発明のダイポールアンテナ装置及びこれを使用するワイヤレスインターホンシステムにおいては、特定の実施の形態をもって説明してきたが、この形態に限定されるものでなく、本発明の効果を奏する限り、ダイポールアンテナ装置を適用可能な如何なる構成の当該システム、例えば、携帯型の移動体通信端末であっても採用できるということはいうまでもないことである。
【図面の簡単な説明】
【００５８】
【図１】図１は、本発明の実施例によるダイポールアンテナ装置を使用するワイヤレスインターホンシステムの具体的な構成を示すブロック図である。
【図２】図２は、本発明の実施例によるダイポールアンテナ装置を使用するワイヤレスインターホンシステムの設置の一例を示す概略外観図である。
【図３】図３（ａ）、（ｂ）はそれぞれ、本発明の実施例によるダイポールアンテナ装置の具体的な構造を示す外観図である。
【符号の説明】
【００５９】
１……子機
２……主親機
２ｃ……アンテナ実装基板（基板）
２００……ダイポールアンテナ
２００ａ……ダイポールアンテナの表面
２００ｂ……ダイポールアンテナの裏面
２１０、２１０……一対の導体エレメント
２１１、２１１……スタブパターン
２１２……ランドパターン
２１３……磁性体シート
３、３、・・・ ……少なくとも１台の副親機
３ｃ……アンテナ実装基板（基板）
３００……ダイポールアンテナ
３００ａ……ダイポールアンテナの表面
３００ｂ……ダイポールアンテナの裏面
３１０、３１０……一対の導体エレメント
３１１、３１１……スタブパターン
３１２……ランドパターン
３１３……磁性体シート
Ａ、Ｂ……取付金具
Ｗ……取付面
【図１】
2009135679.tif 000003
【図２】
2009135679.tif 000004
【図３】
2009135679.tif 000005